(57)【要約】  【課題】  自動販売機の壁構造に制約されることなく、低コストで、しかも、操作が安全に行われるようなダクトのフラッパー開閉機構を有する省エネルギー型の自動販売機を提供する。  【解決手段】  キャビネットの庫内に上下に並べて収納した商品を販売指令に基づき最下位から順に下方に搬出する商品収納ラックと，販売モードに合わせて庫内に冷気，もしくは暖気を循環送風して商品を保冷，ないし加温するファン付き冷却／加熱ユニットと、冷却／加熱ユニットの風胴に連ねて庫内の背面に位置し、循環送風の吸い込み口を変更させるフラッパー開閉手段を有するダクトとを具備する自動販売機において、フラッパー開閉手段がフラッパー、該フラッパーを手動で開閉するレバー、フラッパーとレバーを連結するロッドで構成され、それらの部品が自動販売機の壁に直接取設されるのではなく、ダクト内に一体的収納される構成とする。  【選択図】      図２
2006268400.tif 000002
【特許請求の範囲】
【請求項１】
キャビネットの庫内に上下に並べて収納した商品を販売指令に基づき最下位から順に下方に搬出する商品収納ラックと，販売モードに合わせて庫内に冷気，もしくは暖気を循環送風して商品を保冷，ないし加温するファン付き冷却／加熱ユニットと、該冷却／加熱ユニットの風胴に連ねて庫内の背面に位置し、循環送風の吸い込み口を変更させるフラッパー開閉手段を有するダクトとを具備する自動販売機において、前記フラッパー開閉手段がフラッパー、該フラッパーを手動で開閉するレバー、該フラッパーと該レバーを連結するロッドを有し、該フラッパー、該ロッドはダクト内に収納してダクトに一体に組み付けられ、該レバーは一端がダクトの前面より突出していることを特徴とする自動販売機。
【請求項２】
前記ダクトの表面に前記レバーと係合するガイド溝を有し、該ガイド溝が７字形状であることを特徴とする請求項１に記載の自動販売機。
【請求項３】
前記ロッドの先端に屈曲した係止溝を有し、前記フラッパーの一端に該係止溝と係合する係止爪が幅広であることを特徴とする請求項２に記載の自動販売機。
【発明の詳細な説明】
【技術分野】
【０００１】
本発明は、缶、ビン、パック、ペットボトルなどの容器に入れた飲料などの商品を冷却、加熱して販売に供する自動販売機に関するものである。
【背景技術】
【０００２】
地球の温暖化、二酸化炭素の排出削減問題で自動販売機の省エネルギーが強く要求されている。省エネルギーを実施する上では、自動販売機の断熱構造を強化すること、庫内の必要な商品だけを部分的に冷却、加熱することなどが有用である。自動販売機の断熱構造を強化するには、断熱壁を厚くする、真空断熱材を使用するなどが効果的であり、近年では自動販売機内のホット室、コールド室の仕切り板の表面を薄い鋼板、合成樹脂を被覆して商品収納室のホット商品収納室とコールド商品収納室間の熱の進入を抑制する方法（以下、この構造を内箱レス構造という）が知られている。（例えば、特許文献１）。  また、庫内を部分冷却、加熱する方法としては、庫内背面のダクトの中間に通気口を布設して、商品の販売状況に応じてフラッパーで送風経路を切り替える方法が知られている。（例えば、特許文献２）。
【特許文献１】特開２０００−１６３６３９号公報
【特許文献２】特開２０００−２００３８８号公報
【発明の開示】
【発明が解決しようとする課題】
【０００３】
しかしながら、内箱レス構造、真空断熱壁の自動販売機に特許文献２の背面のダクト切り替え装置を取設しようとすると下記の問題がある。
１）省エネに好適な自動販売機は、内壁に真空断熱材を使用する、または壁面を樹脂とするので、レバーとダクトフラッパーを連携するロッドを壁面に強固に固着することができず、レバー操作時に脱着する虞がある。
２）レバーが庫内の手前側に取設され、フラッパーが庫内奥側のダクト内に収設されているので、全体の機構部を生産ライン上で自動販売機の庫内に取設するには、ダクト、ロッド、レバーの順に組み付けるため、ライン上での組立調整、動作調整が必要となり組み立て工数が多くコスト高となる。
３）ダクトの切替は本来自動販売機の管理者が商品の売れ行き状況を勘案して適宜設定することが望ましいので、レバーが手前にあると、単に商品を投入する作業者（例えば、アルバイト）が誤ってレバーを操作する虞がある。
【０００４】
そこで、本発明は上記の点にかんがみなされたものであり、自動販売機の壁構造に制約されることなく、低コストで、しかも、操作が安全に行われるようなダクトのフラッパー開閉機構を有する省エネルギー型の自動販売機を提供することを目的とする。
【課題を解決するための手段】
【０００５】
本発明の請求項１に係る自動販売機は、キャビネットの庫内に上下に並べて収納した商品を販売指令に基づき最下位から順に下方に搬出する商品収納ラックと，販売モードに合わせて庫内に冷気，もしくは暖気を循環送風して商品を保冷，ないし加温するファン付き冷却／加熱ユニットと、該冷却／加熱ユニットの風胴に連ねて庫内の背面に位置し、循環送風の吸い込み口を変更させるフラッパー開閉手段を有するダクトとを具備する自動販売機において、前記フラッパー開閉手段がフラッパー、該フラッパーを手動で開閉するレバー、該フラッパーと該レバーを連結するロッドを有し、該フラッパー、該ロッドはダクト内に収納してダクトに一体に組み付けられ、該レバーは一端がダクトの前面より突出していることを特徴とする。
また、本発明の請求項２に係る自動販売機は、上記請求項１において、前記ダクトの表面に前記レバーと係合するガイド溝を有し、該ガイド溝が７字形状であることを特徴とする。
【０００６】
また、本発明の請求項３に係る自動販売機は、上記請求項２において、前記ロッドの先端に屈曲した係止溝を有し、前記フラッパーの一端に該係止溝と係合する係止爪が幅広であることを特徴とする。
【発明の効果】
【０００７】
本発明の請求項１〜３に係る冷却装置によれば、以下の効果が得られる。
１）ダクトのフラッパー開閉機構がダクト内に収納されているので、自動販売機の壁面の態様に制約されることがない結果、内箱レス構造、真空断熱材を使用した自動販売機に部分冷却、加熱を行うことにより好適な省エネルギー効果が得ることができる。
２）ダクトのフラッパー開閉機構がダクト内に収納されているので、ダクト部品を予め組立調整をしておいてから、自動販売機の組立ラインに投入すれることができるので、組立調整が不要でコスト低減される。
３）レバーが庫内奥側のダクト表面に突出してあるので、アルバイトなど自動販売機の飲料を供給する作業者が誤ってレバーを操作することがない。従って、自動販売機の管理者のみが商品の売れ行き状況を勘案して部分冷却、全体冷却を適宜設定すること設定できる結果、好適な省エネルギー効果が得ることができる。
【発明を実施するための最良の形態】
【０００８】
以下に添付図面を参照して、本発明に係る好適な実施の形態を詳細に説明する。なお、この実施の形態によりこの発明が限定されるものではない。
図１〜図５は、本発明に係るの自動販売機の形態を示した実施例の説明図である。図１は自動販売機の側断面図であり、（ａ）はダクトのフラッパーを閉止した状態、（ｂ）はダクトのフラッパーを開成した状態を示す。図２は自動販売機の部分断面の斜視図。図３はダクトの構造図であり、（ａ）はダクトの内側から見た斜視図、（ｂ）はフラッパーの係止爪の拡大図、（ｃ）はガイド溝の拡大図を示す。図４はフラッパー開閉時のフラッパー、ロッド、レバーの動作図、図５はフラッパー開閉時におけるフラッパーの係止爪とロッドの係止溝の動作図を示す。
これら図１および図２において、自動販売機は、前面が開口した直方状の断熱体として形成された本体キャビネット１と、その前面に設けられた外扉２と内扉３と、本体キャビネット１の内部を上下2段に底板１ａにて区画形成し、上部を例えば２つの断熱仕切板４によって仕切られた３つの独立した商品収容庫５ａ、５ｂ、５ｃと、下部に底板１ａを跨いで商品収容庫を冷却加熱する冷却／加熱ユニット８を収納する機械室１０とにより構成されている。
【０００９】
より詳細に説明すると、外扉２は、本体キャビネット１の前面開口を開閉するためのものであり、内扉３は、商品収容庫５ａ，５ｂ，５ｃの前面を開閉するためのものであり、内部に断熱体を有し内部の商品を保温するものである。商品収容庫５ａ，５ｂ，５ｃは、缶入り飲料やペットボトル入り飲料等の商品Ｗを所望の温度に維持した状態で収容するためのものであり、その収納庫の容量は５ａ，５ｃ、５ｂの順に小さい。断熱仕切板４は、両表面に樹脂がコートされている発泡スチロールの壁本体４ａと、その下部に空洞部を設けその中に真空断熱材４ｂを挿着し、その両面を薄い鋼板４ｃで壁本体４ａに接着されているものである。
商品収容庫５ａ，５ｂ，５ｃには、それぞれ、商品収納ラック６、搬出機構６１および商品搬出シューター６２が設けてある。商品収納ラック６は、商品Ｗを上下方向に沿って並ぶ態様で収納するためのものである。搬出機構６１は、商品収納ラック６の下部に設けてあり、この商品収納ラック６に収納された商品群のうち最下部にある商品Ｗを一つずつ搬出するためのものである。商品搬出シューター６２は、その表面に搬出機構６１から搬出された商品Ｗを商品取出口３ｂに導くためのものであり、また、その表面に多数の孔が穿設され、冷却加熱風を通過させるようにしてある。
【００１０】
冷却／加熱ユニット８は、機械室１０内に配設された圧縮機８１、凝縮器８２、膨張弁８３を底板１ａを跨いで庫内の冷却器８４と冷媒配管で連結し，冷却器８４の前方にヒータ８５，ファン８６を冷却器８４のカバーケースである風胴８７に取設した構成であり、販売モードに応じて、庫内に冷風または温風を循環させて商品収納ラック６内の商品Ｗを冷却または加熱するものである。
また、背面のダクト７は、冷却器８４の風胴８７に連ねてキャビネット１の背面パネル上に布設されており、その上端が庫内に向けて開口している。その高さは商品収納ラック６の高さに合わせて固定的に設定されており、その上端に開口する吸込口７０ａは、庫内循環空気が商品収納ラック６の全域を満遍なく流れて背面のダクト７に吸い込まれるような高さ位置に定めてある。
【００１１】
背面のダクトの構造についてより詳細に説明する。図３〜５において、背面のダクト７は、縦長で断面コ字状の鋼板製のダクト本体７０と、そのダクト本体７０の両側面に上端を軸支された平板状のフラッパー７１と、そのフラッパーの右端中部より外方向に延在する係止爪７２と、背面のダクト７の前面端側に位置しフラッパー７１の開閉を手動で操作するレバー７６と、そのレバー７６の操作をフラッパー７１に伝達させる断面コ字状のロッド７４と、そのロッド７４の移動を上下方向に案内する断面L字状のガイド板７５により構成されている。
ダクト本体７０は、上部に吸い込み口７０ａ、中間部に中間流入部７０ｂ、下部に流出部７０ｃの開口部を有し、ロッド７４側にレバー７６と係合するレバー溝７３、フラッパー７１の開閉の態様を表示する位置表示孔７０ｅが形成されてある。レバー溝７３は、図３（ｃ）に示すように、終端を有し垂直方向に形成した溝である終端垂直部７３ａと、水平方向に形成した溝である水平部７３ｂと、垂直方向に形成した溝である中間垂直部７３ｃと、終端を有し傾斜方向に形成した溝である終端傾斜部７３ｄとが連続して構成される７字状の溝であり、その溝の両終端は重力方向に対してレバー７６を停止させる位置にある。また、水平部７３ｂは、上方向に凸の溝であってもよい。
【００１２】
また、図３（ａ）に示すように、ダクト本体７０の上部中央には、先端が鋭角に分岐突出した鉤部７０ｇを有する尖形状の突起片７０ｆがダクト本体７０に固着され、ダクト本体７０の下端中央部には、本体の一部を切り欠いてＬ字型に屈曲形成し、その先端平面部に止め孔７０ｉを有する固着片７０ｈが延在してある。ダクト７０は、上部において突起片７０ｆをキャビネット１の背面の断熱材に挿入し、下端において固着部７０ｈの止め孔７０ｉを介してねじにて螺着することによりキャビネット１と固定される。ダクト７０の上部は突起片７０ｆの先端の鉤部７０ｇが抜き方向に大きな抵抗となるので、ダクト７０はキャビネット１と強固に固着されている。
フラッパー７１は、平板状の本体７１ａと、その本体７１ａの上端を揺動可能にダクト本体両端部に軸支される軸７１ｂと、左右方向の一端には幅広の係止爪７２を有してある。係止爪７２は、フラッパーの本体７１ａと同一平面上に位置する爪元部７２ａと、その爪元部７２ａの下端より鈍角に屈曲した係止爪先７２ｂとで構成されている。
【００１３】
ロッド７４は、本体が断面コ字状の細長い部材であり、その上端は、図５に示すように側面を切削した上端部７４ａと、その下端から屈曲して形成した溝である係止溝７４ｂと、その溝の終端部（切り込み）７４ｃと、係止溝７４ｂを挟んで上端部７４ａに相対して突起斜面片７４ｄとを有している。突起斜面片７４ｄは、フラッパーの係止爪先７２ｂと係合してフラッパー７１を開閉するものである。また、ロッド７４の中央部には、フラッパーが開成した時にダクト７０の位置表示孔７０ｅより表示できる位置に赤丸マーク７４ｅが塗装されている。
レバー７６は、図２に示すようにシューター６２の下部の位置で一端がロッドと固着し、他端がダクト本体より前面方向に突出した態様に取付けられている。レバー７６の操作は、シューター６２を取り外すことにより手動で行うことができる
ガイド板７５は、Ｌ字断面の一面をダクト本体７０ａに固着され、他の面がロッド７４を上下方向に移動する案内の作用をし、レバー７６が左右方向へ移動した場合にでもロッド７４の上下移動が停止することなく適宜な隙間を保持してなるものである。適宜な隙間ｄは、図４（ｂ）に示すようにレバー７６が左右方向の最大変位ａだけ移動する時、ロッド７４の先端とレバー７６との垂直距離をｂ、ロッド７４の先端とガイド板７５の下端との距離をｃとすれば、次式の範囲でよい。
【００１４】
ｃ・ａ／ｂ  ＜  ｄ  ＜  ａ
また、ガイド板７５は、揺動する係合爪７２と当接することがないように大きな切り欠き７５ａを有している。
このように、ダクト７のフラッパー開閉機構であるフラッパー７１、ロッド７４、スライド板７５、レバー７６がダクト内に収納されているので、ダクト部品を予め組立調整をしておいてから、自動販売機の組立ラインに投入すれることができるので、組立調整が不要でコスト低減される。
かかる構成で、レバー７６を図４(ａ)で示す最下位の位置にセットすれば、フラッパーの係止爪先７２ｂは図５(ａ)で示すようにロッド７４の拘束を受けずに自重で垂下姿勢となり、中間流入部７０ｂを閉塞する。なお、フラッパー７１の軸７１ｂに捩じりコイルばねを取付け、フラッパー７１を閉位置に向けて付勢するようにしてもよい。一方、レバー７６を図４（ｂ）、図５（ｂ）で示す位置までレバー溝の終端傾斜部７３ｄに沿って上方向に移動するとき、終端傾斜部７３ｄの傾斜に応じてロッド７４の先端が自重でダクトの端面方向（紙面で左方向）に移動をしながら上昇をすることになる。しかも、ロッド７４とスライド板７５との間には適宜隙間を有しているのでロッドの動きが停止されることはなく円滑に移動することができる。
【００１５】
また、フラッパー７１の係止爪７２が幅広なので、ロッド７４の係合斜面片７４ｄから外れることもない。さらに、レバー７６を図４（ｃ）、図５（ｃ）で示す位置まで右方向へ移動させると自重で垂下姿勢となりレバー７６は、ガイド溝の終端垂直部７３ａで停止をする。このとき、フラッパー７１の係止爪７２ａとロッドの係合斜面部７４ｄが係合し、フラッパー７１を開放状態で停止されることになる。したがって、レバー７６、ロッド７４は、レバー溝７３の終端で安定して停止するので、フラッパー７１の開閉を安定した態様で維持される。
しかして、商品の売れ行きが少ない場合には、自動販売機の管理者は、部分冷却、加熱の設定をして省エネ運転を実施すればよい。まず、シューター６２を取り外し、レバー７６を上端にセットすれば、位置表示孔７０ｅに赤丸マーク７４ｅが現れ、フラッパー７１が開成したことが確認できる。フラッパー７１が開成すると、冷却／加熱ユニット８から吹出した冷気，暖気流は図1（ｂ）の矢印のように庫内の上下中間位置から背面のダクト７の中間流入部７０ｂに吸い込まれて冷却／加熱ユニット８に還流するようになる。つまり、庫内の上部域には冷気，暖気が流れないので商品収納ラック６の上半部に並ぶ販売順位の遅い商品は冷気，暖気流で直接に保冷，加温されず、下半部に並ぶ販売順位の早い商品だけがゾーン冷却，ゾーン加熱され、消費電力量が低減する。
【００１６】
また、商品の売れ行きが多い場合には、自動販売機の管理者は、全体冷却、加熱の設定をして全体の商品を冷却、加熱すればよい。レバー７６を下端にセットすれば、位置表示孔７０ｅに赤丸マーク７４ｅが消え、フラッパー７１が閉成したことが確認できる。フラッパー７１が閉成すると、この状態では冷却／加熱ユニット７から前方に吹出した冷気，暖気流が図示矢印のように庫内全域を通風した後、背面のダクト７の上端に開口する吸い込み口７０ａに吸い込まれ、ダクト７を通じて冷却／加熱ユニット８に還流する。これにより、商品収納ラック６に収納した全部の商品が保冷，加温される。このことにより、商品の冷却、加熱が不足して売り切れ表示状態を継続することによる販売機会を逃すことがなくなり、高収益な自動販売機の運営ができる。
このように、ダクトのフラッパー開閉機構がダクト内に収納されているので、自動販売機の壁面の態様に制約されることがない結果、内箱レス構造、真空断熱材を使用した自動販売機に部分冷却、加熱を行うことにより好適な省エネルギー効果が得ることができる。
【００１７】
また、レバー７６がシューター６２の内部で庫内奥側のダクト表面に突出してあるので、アルバイトなど自動販売機の飲料を供給する作業者が誤ってレバー７６を操作することがない。また、ダクト本体７０の中間流入部７０ｂの開口は外から見ると商品収納ラック６の影の位置となるので、ダクト本体７０の中間流入部７０ｂの開口状態を直接見ることができないが、ダクト左端（図２参照）の前面の位置表示孔７０ｅから赤丸マーク７４ｅの有無を視認することにより開閉状態が確認できる。
従って、自動販売機の管理者のみが下商品の売れ行き状況を勘案して部分冷却、全体冷却を適宜設定すること設定できる結果、好適な省エネルギー効果が得ることができる。
【産業上の利用可能性】
【００１８】
以上のように、本発明は、例えば断熱筐体の内部雰囲気を冷却するための冷却装置および自動販売機として有用である。
【図面の簡単な説明】
【００１９】
【図１】図１は本発明の実施例に係る自動販売機の側断面図であり、（ａ）はダクトのフラッパーを閉止した状態、（ｂ）は開成した状態を示す。
【図２】図２は自動販売機の部分断面の斜視図を示す。
【図３】図３はダクトの構造図であり、（ａ）はダクトの内側から見た斜視図、（ｂ）はフラッパーの係止爪の拡大図、（ｃ）はガイド溝の拡大図を示す。
【図４】図４はフラッパー開閉時のフラッパー、ロッド、レバーの動作図を示し、（ａ）はフラッパーの開成時、（ｂ）はレバーを最高位置に持ち上げた時、（ｃ）はフラッパーの閉成時の状態である。
【図５】図５はフラッパー開閉時におけるフラッパーの係止爪とロッドの係止溝の動作図を示し、（ａ）はフラッパーの開成時、（ｂ）はレバーを最高位置に持ち上げた時、（ｃ）はフラッパーの閉成時の状態である。
【符号の説明】
【００２０】
１  キャビネット
４  断熱仕切板
４ｂ  真空断熱材
６  商品収納ラック
７  ダクト
８  冷却／加熱ユニット
６２  シューター
７０  ダクト本体
７１  フラッパー
７２  係止爪
７２ｂ  係止爪先
７３  レバー溝
７３ａ  終端垂直部
７３ｂ  水平部
７３ｃ  中間垂直部
７３ｄ  終端傾斜部
７４  ロッド
７４ｄ  突起斜面部
７６  レバー
【図１】
2006268400.tif 000003
【図２】
2006268400.tif 000004
【図３】
2006268400.tif 000005
【図４】
2006268400.tif 000006
【図５】
2006268400.tif 000007